(57)【特許請求の範囲】
【請求項１】
a)第１及び第２掛け部材と、
b)上記第１及び第２掛け部材を互いに開閉可能に接続する接続手段と、
c)上記第１掛け部材に取り付けられた固定部材と、
d)上記固定部材に対して上下に摺動する摺動部材と、
e)上記摺動部材に接続されたフック部と、
f)上記接続手段と上記摺動部材とを互いに回動可能に連結すると共に、上記摺動部材が引き上げられたときに上記第１掛け部材と第２掛け部材が開くよう上記接続手段を下方から押し上げる連結手段と、
を備えることを特徴とするハンガー。
【請求項２】
開脚した上記第１及び第２掛け部材を所定の角度で固定するためのストッパを備えることを特徴とする請求項１に記載のハンガー。
【請求項３】
上記第１及び第２掛け部材の間に段差が設けられていることを特徴とする請求項１又は２に記載のハンガー。
【発明の詳細な説明】
【０００１】
【発明の属する技術分野】
本発明は、ハンガー、特に２個の掛け部材を利用して衣類を掛けるためのハンガー（以下、二重ハンガーと呼ぶ）に関する。なお、本明細書における掛け部材とは、衣類を掛けるための棒状或いは枠状の部材のことである。
【０００２】
【従来の技術】
洗濯物をハンガーに掛けて干す場合、身頃や袖が密着していると通気性が悪いため、乾燥するまでに時間を要してしまう。この点、身頃や袖を開いて通気性を良好にするための仕組みを備えたハンガーは既に提案されていて、例えば特開２００１−１６２０９３に記載されている。
【０００３】
この特開２００１−１６２０９３に開示されたハンガーは二重ハンガーであり、離隔した２個の掛け部材に洗濯物を掛けることで、干した際に身頃や袖が開くようにしている。
【０００４】
【発明が解決しようとする課題】
二重ハンガーにおいては、使用しない間は２個の掛け部材を畳み、嵩張らないようにするのが望ましい。一方で、２個の掛け部材を畳んだ場合には、二重ハンガーに洗濯物を掛けて干す際に、これら２個の掛け部材を離隔させることが求められる。しかし、この場合、２個の掛け部材を離隔させた後洗濯物を掛けるか、或いは、洗濯物を掛けた後２個の掛け部材を離隔させるかに関わらず、これら２個の掛け部材を手で以て離隔させなければならないことに変わりはない。そのため、洗濯物が大量にあるような場合には、干し終えるまでに時間を要してしまう。
【０００５】
本発明はこのような課題を解決するために成されたものであり、その目的とするところは、衣類を掛ける際に、２個の掛け部材を手で以て離隔させる必要のない二重ハンガーを提供することにある。
【０００６】
【課題を解決するための手段】
上記課題を解決するために成された本発明に係るハンガーは、
a)第１及び第２掛け部材と、
b)上記第１及び第２掛け部材を互いに開閉可能に接続する接続手段と、
c)上記第１掛け部材に設けられた固定部材と、
d)上記固定部材に対して摺動する摺動部材と、
e)上記接続手段と上記摺動部材とを互いに回動可能に連結する連結手段と、
f)上記摺動部材に接続されたフック部と、
を備えることを特徴とする。
【０００７】
【発明の実施の形態】
まず、本発明に係るハンガーへの衣類の掛け方について説明する。本発明のハンガーは、使用しない間は第１及び第２掛け部材を畳み、嵩張らないようにすることができる。従って、被り式の衣類（Ｔシャツやセーター等）については、裾口からハンガーを中に入れて第１及び第２掛け部材に衣類を掛けた後、ハンガーをフック部を利用して物干し竿等に吊すようにするとよい。
これに対し、前開き式の衣類（カーディガン等）については、上記のような掛け方でもよいし、ハンガーを物干し竿等に吊してから第１及び第２掛け部材に掛けるようにしてもよい。
【０００８】
こうして衣類を掛けると、掛けた衣類の重量によって摺動部材が固定部材に対して摺動し、摺動部材に接続された連結手段が回動する。その結果、連結手段に接続された接続手段が第２掛け部材を開き、第１及び第２掛け部材は互いに離隔した状態に至る。
【０００９】
【発明の効果】
本発明に係るハンガーに衣類を掛ける場合、掛けた衣類の重量によって第１及び第２掛け部材が自動的に開脚するため、これら２個の掛け部材を手で以て離隔させる必要がない。従って、例えば本発明のハンガーを使用して洗濯物を干す場合には、従来の二重ハンガーを使用して干す場合よりも短い時間で洗濯物を干し終えることが可能となる。
又、ハンガーを使用しない時には、物干し竿等から外して第１及び第２掛け部材を畳むようにすると、収納等の際に嵩張らず便利である。
【００１０】
【実施例】
図１に本発明に係るハンガーの一実施例を示す。図１は、本実施例に係るハンガー１０の衣類を掛けていない状態を示す正面図（ａ）及び機構図（ｂ）である。
【００１１】
図１のハンガー１０は第１及び第２掛け枠１２／１３を備えており、これら第１及び第２掛け枠１２／１３を開閉部１７により互いに開閉可能に接続する。又、第１掛け枠１２の中央に管状部材１５を垂直に固定し、管状部材１５に対して摺動する棒状部材１４とフック１１とを互いに接続する。更に、開閉部１７と棒状部材１４とを連結部１６により互いに回動可能に連結する。ここで、連結部１６及び開閉部１７を拡大したものを図２に示す。
【００１２】
開閉部１７は蝶番１７１と板状部材１７２とから成り、開閉部１７の蝶番１７１側の一端を上記第１掛け枠１２の上枠の中央に、板状部材１７２側の他端を上記第２掛け枠１３の上枠の中央にそれぞれ固定する。
【００１３】
連結部１６は、軸１６１により上記棒状部材１４と上記板状部材１７２とを互いに回動可能に連結する。なお、連結部１６の一端は管状部材１５に設けた長孔１５１（図４参照）を通じて棒状部材１４の下端に接続され、他端は板状部材１７２の略中央に固定される。
【００１４】
続いて、図１及び図２に示した衣類を掛けていない状態から図３及び図４に示した衣類を掛けた状態へと移行する際のハンガー１０の動きを、洗濯物を干す作業を通じて説明する。図３は本実施例のハンガー１０の衣類を掛けた状態を示す正面図（ａ）及び機構図（ｂ）であり、図４は図３のハンガー１０を構成する連結部１６及び開閉部１７の正面図（ａ）及び側面図（ｂ）である。なお、図３及び図４に示したハンガー１０の構成部分については、図１及び図２に示したハンガー１０の対応部分とその構成並びに機能とも同一であるため、説明を省略する。
【００１５】
まず、洗濯物（図示しない）の裾口からハンガー１０を中に入れて第１及び第２掛け枠１２／１３に掛けた後、ハンガー１０をフック１１を利用して物干し竿（図示しない）に吊す。なお、カーディガン等前開き式のものについては、ハンガー１０を物干し竿に吊してから第１及び第２掛け枠１２／１３に掛けるようにしてもよい。
【００１６】
こうして洗濯物を掛けると、掛けた洗濯物の重量によって棒状部材１４が管状部材１５に対して摺動し、長孔１５１を通じて棒状部材１４に接続された連結部１６が軸１６１を回転軸として回動する。その結果、連結部１６に接続された板状部材１７２が蝶番１７１の作用によって第２掛け枠１３を開き、第１及び第２掛け枠１２／１３は互いに離隔した状態に至る。
【００１７】
以上の通り、本実施例のハンガー１０を使用して洗濯物を干す場合、掛けた洗濯物の重量によって第１及び第２掛け枠１２／１３が自動的に開脚するため、これら２個の掛け枠１２／１３を手で以て離隔させる必要がない。従って、従来の二重ハンガーを使用して干す場合よりも短い時間で洗濯物を干し終えること可能となる。
又、洗濯物が乾燥した後は、ハンガー１０を物干し竿から外して第１及び第２掛け枠１２／１３を畳むようにすると、使用しない間も嵩張らず便利である。
【００１８】
本実施例のハンガー１０については、例えば長孔１５１の上端をストッパ１８としてもよい。この場合、ストッパ１８によって、開脚した上記第１及び第２掛け枠１２／１３を３０〜６０度、特に好ましくは４５度（角度α）で固定できるようにするのが望ましい。このような角度で第１及び第２掛け枠１２／１３が開脚した場合、洗濯物のシルエットが人間の体型に近似するため、乾燥後の衣類に型崩れが生じず、胸元付近（着衣した際に目立つ部分である）に皺が寄ることもない。更に、乾燥し難い袖ぐりも十分に開くため好ましい。
【００１９】
なお、本実施例のハンガー１０においては、第１掛け枠１２と第２掛け枠１３との間に段差Ｄが設けられている。これにより、ハンガー１０に掛けた洗濯物のシルエットがより一層人間の体型に近似するため、好適である。従ってまた、例えばブティックにおける衣類の展示の際に本実施例のハンガー１０を使用すると、店の利用客に着衣した時の様子が客観的にわかるため便利である。
【００２０】
以上、本発明の一実施例について説明したが、実施例は上記のものに限られない。例えば、上記ハンガー１０において、棒状部材１４をフック１１に接続せず、管状部材１５と螺合させるだけでもよい。この場合は、棒状部材１４をその上端を手で摘みながら管状部材１５に対して回転させると、第１及び第２掛け枠１２／１３は互いに離隔した状態に至る。従って、第１及び第２掛け枠１２／１３を手で以て離隔させる必要があるものの、特に手間を要しない以上、上記のような効果が得られることに変わりはない。
【００２１】
また、上記のような構成とは異なるが、図５に示すハンガー５０とすることもできる。
ハンガー５０は第１及び第２掛け枠５２／５３を備えており、これら第１及び第２掛け枠５２／５３を互いに回動可能に接続する。又、第１掛け枠５２の下枠に針金５１の一端５１１を回動可能に取り付け、第２掛け枠５３の下枠に他端５１２を回動可能に取り付ける。更に、第１及び第２掛け枠５２／５３の略中央に、それぞれ屈曲５２１／５３１を設ける。
【００２２】
ハンガー５０を使用しない時には、図５（ａ）に示すように、上記針金５１の両端５１１／５１２の少なくとも一方を屈曲５２１或いは５３１から外して、第１及び第２掛け枠５２／５３を畳むことができる。一方で、第１及び第２掛け枠５２／５３を畳んだ場合には、洗濯物を干す際に次の方法で第１及び第２掛け枠５２／５３を離隔させる。まず、針金５１の両端５１１／５１２のいずれか一方を屈曲５２１又は５３１に嵌め込む。両端５１１／５１２のいずれか一方が既に嵌め込まれている場合には、この作業は不要である。そして、例えば他端５１２を屈曲５３１に嵌め込んだ場合には、引き続き一端５１１を第１掛け枠５２に対して摺動させ、屈曲５２１に嵌め込む。その結果、図５（ｂ）に示すように、針金５１が第１及び第２掛け枠５２／５３に対して略垂直となり、第１及び第２掛け枠５２／５３は互いに離隔した状態に至る。
【００２３】
このハンガー５０についても、上記の通り、第１及び第２掛け枠５２／５３を手で以て離隔させる必要があるが、特に手間を要しないので好適である。
この他にも、本発明の精神及び範囲内で様々な実施例を考えることが可能である。
【図面の簡単な説明】
【図１】  本発明の一実施例に係る衣類を掛けていない状態のハンガーの正面図（ａ）及び機構図（ｂ）。
【図２】  図１のハンガーを構成する連結部及び開閉部の正面図（ａ）及び側面図（ｂ）。
【図３】  本発明の一実施例に係る衣類を掛けた状態のハンガーの正面図（ａ）及び機構図（ｂ）。
【図４】  図４のハンガーを構成する連結部及び開閉部の正面図（ａ）及び側面図（ｂ）。
【図５】  本発明の別の実施例に係る使用しない時のハンガーの斜視図（ａ）及び使用する時のハンガーの斜視図（ｂ）。
【符号の説明】
１０、５０…ハンガー
１１…フック
１２…第１掛け枠
１３…第２掛け枠
１４…棒状部材
１５…管状部材
１５１…長孔
１６…連結部
１６１…軸
１７…開閉部
１７１…蝶番
１７２…板状部材
１８…ストッパ
５１…針金
５１１…一端
５１２…他端
５２…第１掛け枠
５２１…屈曲
５３…第２掛け枠
５３１…屈曲
【図１】
0004002779.tif 000002
【図２】
0004002779.tif 000003
【図３】
0004002779.tif 000004
【図４】
0004002779.tif 000005
【図５】
0004002779.tif 000006